(57)【要約】【課題】各記録層間の距離が小さい多層光ディスクにアクセスする際に、各記録層からのフォーカス誤差信号が互いに干渉せず、かつ、組立誤差等がある場合にもオフセットの発生を抑制できる光ピックアップ装置を提供する。【解決手段】光ディスクからの戻り光を受光する受光素子７は、主受光領域７ａ，７ｂと補助受光領域７ｅ，７ｆを有している。フォーカス誤差信号は、受光領域７ａ，７ｂ，７ｅ，７ｆの出力信号をそれぞれＳａ，Ｓｂ，Ｓｅ，Ｓｆとしたとき、（Ｓａ＋Ｓｆ）−（Ｓｂ＋Ｓｅ）により算出する。補助受光領域７ｅ，７ｆの面積は主受光領域７ａ，７ｂの面積よりも小さく形成されている。【選択図】図１
2007004982.tif 000002
【特許請求の範囲】
【請求項１】
光源から光ビームを出射し、その光ビームを光記録媒体上に集光するとともに、前記光記録媒体からの戻り光を検出する光ピックアップ装置において、
前記光ビームのフォーカスのずれに応じた戻り光が入射する少なくとも２つの受光領域を有し、各主受光領域への入射光量に応じたフォーカス誤差主信号を生成するフォーカス制御手段と、
前記少なくとも２つの主受光領域を両側から挟むように配置され、前記光記録媒体からの戻り光が入射する２つのラジアル誤差検出用受光領域を有し、該ラジアル誤差検出用受光領域への入射光量からラジアル誤差信号を検出するラジアル制御手段と、を有してなり、
前記ラジアル誤差検出用受光領域は、前記光記録媒体のラジアル方向に対して傾斜した形状に形成されており、かつ、２つのラジアル誤差検出用受光領域の面積が略同一であることを特徴とする光ピックアップ装置。
【発明の詳細な説明】
【技術分野】
【０００１】
本発明は、光ディスク等の情報記録媒体に光学的に情報を記録または再生する光ディスク装置に搭載される光ピックアップ装置に関する。詳しくは、複数の記録再生層を有する光ディスクに対して、正確な記録再生動作を可能な光ピックアップ装置に関する。
【背景技術】
【０００２】
近年、光ディスクは、大量の情報信号を高密度で記録することができるため、オーディオ，ビデオ，コンピュータ等の多くの分野において利用が進められている。
【０００３】
現在広く市販されているコンパクトディスク（ＣＤ），ビデオディスク，ミニディスク（ＭＤ）やコンピュータ用の光磁気ディスクなどは厚さ１．２ｍｍの基板を用いている。光ピックアップの対物レンズも厚さ１．２ｍｍの基板によって発生する収差を補正するように設計されている。
【０００４】
一方、記録容量の増大を図っていくために様々な検討がなされている。その中には対物レンズの開口数（ＮＡ）を大きくして、光学的な分解能を向上させる方法や、記録層を多層に設ける方法などがある。
【０００５】
例えば、特開平５−１５１６０９号公報には、多重データ層を有する光ディスクから各層の記録データを個別に再生するための光ディスク装置が記載されている。ここでは、多層ディスクの記録再生層は透明基板と空気層を交互に重ねて構成されており、各記録再生層には、対物レンズをアクチュエータによって光軸方向にフォーカシングすることにより情報の記録再生を行う。
【０００６】
この例では、各層間の距離が十分離れているため、隣接する記録再生層からくる戻り光の影響がなく、例えば第ｎ層におけるフォーカス誤差信号（ＦＥＳ）は第ｎ＋１または第ｎ−１層では０となり、他層のＦＥＳにはオフセットなどの悪影響を及ぼさない。しかしながら、各層の間の距離が大きく離れているため、各層にフォーカスサーボをかける場合、合わせるべきディスク基板の全体の厚さが大きく変化することになる。したがって、別途、収差補償器によって各面で発生する球面収差を補正する必要があった。
【０００７】
上記問題を解決するものとして、基板の厚さに対して十分薄い層間距離（例えば４０〜７０μｍ程度の距離）でデータ層を重ねた２層構造のディスクがデジタルバーサタイルディスク（ＤＶＤ）などで提案されている。この場合、基板厚さの違いによって発生する球面収差は十分小さいため、収差補償器は必要ではなくなる。
【０００８】
しかしながら、このような薄い層間距離で記録再生面が重ねられたディスクでは、光ビームがある１つの記録再生面に対してアクセスしている際に、その記録再生面からの反射光が隣接する記録再生面からの戻り光の影響を受けてしまう。したがって、光ビームのフォーカス調整のためのＦＥＳも上記影響を受けたものとなり、正確なフォーカス調整が行えなくなる。
【特許文献１】特開平５−１５１６０９号公報（１９９３年６月１８日公開）
【発明の開示】
【発明が解決しようとする課題】
【０００９】
上記した十分薄い層間距離で形成された多層構造のディスクに対する光学系として、本出願人は先に図１４，図１５に示す光学系を提案した（出願番号：特願平７−３１５６４２号）。
【００１０】
ここでは、図１４に示すように、半導体レーザ１からの光を対物レンズ４で光ディスク５上に集光させ、その戻り光を３分割ホログラム素子２によって受光素子６に導く。半導体レーザ１、ホログラム素子２及び受光素子６は一体に構成されている。
【００１１】
図１５に示すように、受光素子６はフォーカス誤差信号（ＦＥＳ）検出用の２分割した主受光領域６ａ，６ｂの他に、その外側両側にフォーカス誤差信号補正用の補助受光領域６ｅ，６ｆを有している。主受光領域６ａ，６ｂはフォーカスの方向にしたがってそれぞれの戻り光を受光する。補助受光領域６ｅ，６ｆはそれぞれ、デフォーカス状態になった場合に、主受光領域６ａ，６ｂからはみ出す戻り光を検出する位置に設けられている。そして、フォーカスによる戻り光の形状変化の方向に対して逆方向に変化する主受光領域６ａ，６ｂと補助受光領域６ｅ，６ｆを一対として、フォーカス誤差信号を検出する。
【００１２】
具体的には、受光領域６ａ，６ｂ，６ｅ，６ｆの出力信号をそれぞれＳａ，Ｓｂ，Ｓｅ，Ｓｆとしたとき、フォーカス誤差信号ＦＥＳを（Ｓａ＋Ｓｆ）−（Ｓｂ＋Ｓｅ）により算出する。このようにすると、ダイナミックレンジ外、すなわち大きくデフォーカス状態になり、光ビームが主受光領域６ａ（または６ｂ）からはみ出した場合、その外側に配置された補助受光領域６ｅ（または６ｆ）における出力信号が増大し、フォーカス誤差信号ＦＥＳは減少する。これにより、フォーカス誤差信号ＦＥＳは、ジャストフォーカス位置から離れるに従い増加し、ある距離以上離れたら急激に減少する信号となる。したがって、主受光領域６ａ，６ｂ、及び、補助受光領域６ｅ，６ｆの大きさ及び配置を適当に設定しておけば、走査中の記録再生面からのフォーカス誤差信号だけを有効なものとして、隣接する記録再生層からの戻り光による影響を削除することができる。
【００１３】
以上のように、先に提案した光ピックアップ装置によれば、理想的には、正確なフォーカス誤差信号を得ることができ、記録再生動作を正確に行うことが可能となる。
【００１４】
しかしながら、ピックアップを組立てる際には、当然組立て誤差が存在する。このような誤差が発生した場合には、フォーカス動作させた場合の受光素子への戻り光の形状変化が異なり、フォーカス誤差信号の補正が過補正になったり、逆に補正不足になったりし、複数の記録再生層を有する光ディスクを記録再生する際に、良好なＦＥＳカーブを得ることが不可能となる。
【００１５】
また、同様に組立て誤差が発生した場合に、ラジアル誤差信号生成用の受光領域への戻り光は、理想位置からズレた位置に入射するため、すべての誤差を考慮して、最もズレた場合においても受光領域内に収まるように、受光部面積を大きくする必要がある。しかしながら、ＤＶＤ等の光ディスクにおいては、大容量化に伴い受光素子の高帯域化が要求され、そのためには、受光部面積を小さくする必要があり、前記内容と相反する条件であるために、問題となる。
【００１６】
この発明は、上述の問題点を解決するためになされたもので、補助受光領域の形状を最適化することで、ピックアップ組立て時に組立て誤差が発生しても、複数の記録再生層を有する光ディスクに対して、正確な記録再生動作を可能な光ピックアップ装置を提供するものである。
【課題を解決するための手段】
【００１７】
本発明の光ピックアップ装置は、光源から光ビームを出射し、その光ビームを光記録媒体上に集光するとともに、光記録媒体からの戻り光を検出する光ピックアップ装置において、光ビームのフォーカスのずれに応じた戻り光が入射する少なくとも２つの受光領域を有し、各主受光領域への入射光量に応じたフォーカス誤差主信号を生成するフォーカス制御手段と、少なくとも２つの主受光領域を両側から挟むように配置され、光記録媒体からの戻り光が入射する２つのラジアル誤差検出用受光領域を有し、ラジアル誤差検出用受光領域への入射光量からラジアル誤差信号を検出するラジアル制御手段と、を有してなり、ラジアル誤差検出用受光領域は、前記光記録媒体のラジアル方向に対して傾斜した形状に形成されており、かつ、２つのラジアル誤差検出用受光領域の面積が略同一であるものである。
【００１８】
上記構成によれば、組立誤差等の配置誤差がある場合にも、ラジアル誤差信号検出用受光領域内に戻り光が入射するようになり、かつ、その受光領域の面積を必要最小限にできるため、受光素子の高帯域化の妨げにはならない。また、左右の受光部の各面積がほぼ同じであるため、複数の記録再生面を有する記録媒体にアクセスする場合に隣接記録再生面からの迷光が入射しても、オフセットの発生を抑えることが可能となる。
【発明の効果】
【００１９】
本発明によれば、ラジアル誤差信号生成用受光領域を、前記光記録媒体のラジアル方向に対して傾斜した形状に形成し、左右両側の受光部領域の面積を略同一とすることにより、上記誤差によらず戻り光が受光領域内に収まるように受光領域の形状を設定したとしても、受光領域面積を必要最小限にでき、受光素子の高帯域化を実現できる。また、左右の受光部の面積に差が発生しないので、隣接層からの迷光の入射に起因するオフセットの発生を抑制できる。
【発明を実施するための最良の形態】
【００２０】
以下、本発明の実施の形態について図面に基づいて説明する。但し、図１４，図１５で示した構成要素と同じものは同一符号で示す。
【００２１】
（基本構成）図１，２，３は本発明のピックアップ装置の基本構成図である。図１において、光ディスク５は、基板の厚さに対して十分薄い層間距離、例えば４０〜７０μｍ程度の距離でデータ層を重ねた２層構造のデジタルバーサタイルディスク（ＤＶＤ）などで提案されているディスクである。光源としての半導体レーザ１からの出射光は、ホログラム素子２により回折され、その内の０次回折光がコリメートレンズ３を介して対物レンズ４に入射し、光ディスク５上に集光される。光ディスク５からの戻り光は、対物レンズ４、コリメートレンズ３を介して、ホログラム素子２に導かれる。
【００２２】
ホログラム素子２は、図２に示すように、光ディスク５のラジアル方向に対応するｙ方向に延びる分割線２ｇと、この分割線２ｇの中心から光ディスク５のラジアル方向と直交するｘ方向、つまり光ディスク５のトラック方向に対応する方向に延びる分割線２ｈとにより、３つの分割領域２ａ，２ｂ，２ｃに分割され、それぞれこれら各分割領域２ａ，２ｂ，２ｃに対応して、別個の格子が形成されている。
【００２３】
受光素子７は、図３に示すように光デイスク５のトラック方向に対応するｘ方向に配列された６つの矩形状の受光領域７ａ，７ｂ，７ｃ，７ｄ，７ｅ，７ｆに分割された領域を有している。中央の受光領域７ａ，７ｂはフォーカス用の主受光領域であり、光ディスク５のラジアル方向に対応するｙ方向に延びる分割線７ｘにより分割される。その両側の７ｅ，７ｆは、フォーカス用の補助受光領域であり、分割線７ｘに対して対称な位置に配置されている。そして、主受光領域７ａ，７ｂと補助受光領域７ｅ，７ｆのｘ方向の幅Ｗ１，Ｗ２は、Ｗ１＞Ｗ２に設計されている。一方、両側の受光領域７ｃ，７ｄはラジアル誤差検出用受光領域であり、７ｅ，７ｆとはｘ方向に所定の間隔を隔てて設けられ、また、各受光素子７ａ，７ｂ，７ｃ，７ｄ，７ｅ，７ｆは、ラジアル方向に対応するｙ方向に延びている。
【００２４】
次に、受光素子上における戻り光の状態を説明する。図４はその状態を説明する説明図である。
【００２５】
合焦状態の時、つまり、光ビームが光ディスク５の所望の記録再生面上にジャストフォーカス状態のとき、ホログラム素子２の分割領域２ａで回折された戻り光は分割線７ｘ上にビームＰ１を形成し、分割領域２ｂ，２ｃで回折された戻り光はそれぞれ受光領域７ｄ，７ｃ上にビームＰ２，Ｐ３を形成する。これは、組立時において、分割領域２ａで回折された戻り光は分割線７ｘ上に形成するように調整されているためである。ビームＰ１，Ｐ２，Ｐ３は、受光素子の位置公差や光の波長ずれをホログラム素子２の位置調整によって吸収するために、各受光領域のｙ方向の中心位置から多少はずれた位置に集光される場合もある。このような合焦状態のときには、主受光領域７ａ，７ｂ及び補助受光領域７ｅ，７ｆの出力信号は０となる。
【００２６】
デフォーカスした場合は、主受光領域７ａ，７ｂ及び補助受光領域７ｅ，７ｆにおける出力信号が０とはならなくなる。ビームＰ１は、光ディスク５が遠ざかった場合には図４（ｂ）、近づいた場合は図４（ｄ）のように、スポット径が拡大し、いずれかの一方の受光領域７ａまたは７ｂに拡がる。このとき、対物レンズ４のフォーカス方向への位置ずれがフォーカス誤差信号ＦＥＳのダイナミックレンジＤｙの範囲内であれば、受光領域７ａ，７ｂの出力信号Ｓａ，Ｓｂ基づいて、フォーカス誤差信号ＦＥＳ（＝Ｓａ−Ｓｂ）が生成される。
【００２７】
一方、対物レンズ４がダイナミックレンジＤｙを越えて、大きくデフォーカス状態になると、ビームＰ１は、図４（ｃ），（ｅ）のように、主受光領域７ａまたは７ｂからはみ出し、それらの外側に設けた補助受光領域７ｅまたは７ｆにまで拡がる。この場合は、受光領域７ａ，７ｂ及び補助受光領域７ｅ，７ｆの出力Ｓａ，Ｓｂ，Ｓｅ，Ｓｆに基づいて、フォーカス誤差信号ＦＥＳ（＝（Ｓａ＋Ｓｆ）−（Ｓｂ＋Ｓｅ））が生成される。
【００２８】
以下、このような基本構成におけるフォーカス誤差信号ＦＥＳの様子について詳細に説明するが、まず比較例として主受光領域７ａ，７ｂの幅Ｗ１が補助受光領域７ｅ，７ｆの幅Ｗ２と同一幅である（主受光領域７ａ，７ｂの面積が補助受光領域７ｅ，７ｆの面積と等しい）ものを取り上げ、これについて説明する。図５（ａ）において実線で示したのはこの比較例におけるＦＥＳカーブ（Ｆ）であり、点線で示したのが補助受光領域７ｅ，７ｆが存在しない場合のＦＥＳカーブ（Ｆ’）である。光ビームスポットが主受光領域７ａまたは７ｂからはみ出すまで、すなわちダイナミックレンジＤｙ範囲内ではＦＥＳカーブＦはＦ’と同様になるが、光ビームスポットが主受光領域７ａまたは７ｂからはみ出しさらに補助受光領域７ｅまたは７ｆにその光が入射すると、ＳｆまたはＳｅが増加して、ＦＥＳ＝（Ｓａ＋Ｓｆ）−（Ｓｂ＋Ｓｅ）が急激に減少し０に収束する。すなわち、光ディスク５が合焦位置からダイナミックレンジＤｙを越えて遠ざかる場合は、主受光領域７ｂ（出力Ｓｂ）に加えて補助受光領域７ｆ（出力Ｓｆ）で受光が始まり、近づく場合は主受光領域７ａ（出力Ｓａ）に加えて補助受光領域７ｅ（出力Ｓｅ）で受光が始まり、ダイナミックレンジＤｙを越えたデフォーカス状態では、補助受光領域７ｆ，７ｅの受光により（Ｓａ＋Ｓｆ）と（Ｓｂ＋Ｓｅ）の差が小さくなる方向に急激に変化する。よって、（Ｓａ＋Ｓｆ）−（Ｓｂ＋Ｓｅ）の演算によるフォーカス誤差信号ＦＥＳは、図５（ａ）の実線Ｆで示すように、ダイナミックレンジＤｙを越えた直後に急激に０に近づく。受光領域７ｅ，７ｆの形状や受光領域７ａと７ｅまたは７ｂと７ｆの距離を変化させることによって、ダイナミックレンジＤｙを越えた領域でのＦＥＳの減少の仕方が変化するので、これらを最適化することでＦＥＳカーブを急激に０に近づけることができる。
【００２９】
この比較例のピックアップ装置を、ＤＶＤの様な複数の記録再生層（２層）を持つ光ディスクの記録再生に適用した場合、図６（ａ）に示すように、両層においてフォーカスオフセットの発生の無い良好なＦＥＳカーブが得られていることがわかる。
【００３０】
ところが、この比較例のピックアップ装置において、組立時にホログラム素子２が半導体レーザ１とコリメータレンズ３で定められる光軸に対して、ｘ方向にズレた場合、ＦＥＳカーブは図６（ｂ）に示すようなものとなる。通常、組立時の誤差やレーザの波長のズレを、ホログラム素子２の位置調整及び、光軸に対する回転調整により、合焦時のフォーカスオフセットが０となるよう調整しているため、図６（ｂ）においても合焦位置ではフォーカスオフセットが生じない。しかしながら、光軸とホログラム素子２の分割線２ｇのズレが生じ、図５（ｂ）に示すように、遠い側（図中右側）に大きなピークＰｋを生じてしまう。このような組立誤差の生じた比較例の光ピックアップ装置を複数の記録再生層を持つ光ディスクの記録再生に適用した場合、ＦＥＳは図６（ｂ）に示すように、大きなフォーカスオフセット△を発生するため、正しい合焦状態を得ることが困難になる。
【００３１】
上記した比較例におけるフォーカスオフセット△の発生原因について以下に説明する。図７，図８は、受光領域の各４素子、７ａ，７ｂ，７ｅ，７ｆへの戻り光の形状と各出力信号であるＳａ，Ｓｂ，Ｓｅ，Ｓｆを説明する図である。これらは分割線２ｇが＋ｘ方向にズレた場合であり、デフォーカスした状態での戻り光は、受光素子７ａ，７ｂの中心からはみ出している。特に、図７（ａ）に示すように光ディスク５が遠い側にずれた場合では、図７（ｂ）に示すように光ディスク５が近い側にずれた場合よりも大きくはみ出している。つまり、例えば遠い側にデフォーカスした状態において、組立誤差が無ければ、受光素子７ａには戻り光が入射しないものが、組立誤差により、デフォーカスするにつれて受光素子７ａに戻り光が入射する。このため、Ｓｂ−Ｓｆがゼロになるように、Ｓｆで補正していたのに、これに、Ｓａの信号分が付加されるため、過補正となり、ＦＥＳ信号としてはゼロにならない。
【００３２】
実際の出力信号で考えると、フォーカス誤差信号ＦＥＳは（Ｓａ＋Ｓｆ）−Ｓｂ＋Ｓｅ）の演算で求めるが、これを変形して（Ｓａ−Ｓｅ）−（Ｓｂ−Ｓｆ）とする。まず、図８（ａ）はＳｂ，Ｓｆの出力信号を示したもので、遠い側（図の右側）での（Ｓｂ−Ｓｆ）は、ほぼゼロであるが、近い側（図の左側）では、緩やかにゼロに収束するものの、若干の数値をもつ。一方、下図はＳａ，Ｓｅの出力信号を示したもので、近い側での（Ｓａ−Ｓｅ）は、ほぼゼロであるが、遠い側では、１０数μｍ程度デフォーカスした部分で大きなピークをもつ。
【００３３】
よって、比較例のような主受光領域７ａ，７ｂと補助受光領域７ｅ，７ｆの面積が等しいものでは、（Ｓａ−Ｓｅ）−（Ｓｂ−Ｓｆ）で表されるＦＥＳが、遠い側で大きなピークをもち、近い側では緩やかではあるが若干の数値をもつことになる。以上のことより、過補正を防ぐには、
（１）補助受光部での補正量を少なくする。
（２）誤差が発生した場合に、主受光部の中心から戻り光がはみ出す量を少なくする。
という対策が考えられる。
【００３４】
基本構成では、上記したように補助受光領域７ｅ，７ｆの面積を主受光領域７ａ，７ｂより小さくしているため、上記過補正を防ぐことができ、良好なＦＥＳカーブを得ることが可能となる。
【００３５】
図９は、補助受光部７ｅ，７ｆの幅を変化させた場合のＦＥＳカーブの様子を示す図である。この図における左側は適当な組立誤差が発生した場合のＦＥＳカーブであり、右側は理想通りに組立られた場合のＦＥＳカーブである。また、上から順に補助受光部７ｅ，７ｆの幅は小さくなっている。尚、ここにおいて主受光領域７ａ，７ｂの幅Ｗ１は２５μｍである。
【００３６】
図９から、組立誤差がある場合は、補助受光部の幅が小さいほど遠い側のピークは小さくなる。一方、理想通りに組み立てられた場合は２０μｍ幅（主受光領域の幅の８０％）前後が最適であることがわかる。２０μｍよりも小さくなると、デフォーカス域でのＦＥＳカーブの立ち下がりがゆるくなり、大きなピークは発生しないものの、層間隔が小さい場合は、若干ではあるがフォーカスオフセットを有することになる。そして、さらに小さくなり、７μｍになると理想状態におけるオフセットがかなり大きくなり、特に主受光領域の幅の２５％以下となるとそのオフセットが問題となる。
【００３７】
実際の光ピックアップ装置では、組立誤差は必ずあるものなので、誤差の範囲を考慮して、誤差が小さい場合（誤差無し）も含めて、総合的に最適な補助受光部の幅を決定する必要があり、０．２５Ｗ１≦Ｗ２≦０．８Ｗ１（Ｗ１：主受光領域の幅，Ｗ２：補助受光領域の幅）を満たすことが望ましい。
【００３８】
図１０は、補助受光領域の幅Ｗ２を主受光領域Ｗ１の約半分（Ｗ２＝２×Ｗ１）の場合のＦＥＳカーブを示すものであり、（ａ）は理想状態で、（ｂ）は組立誤差を含んだ状態（ピックアップへの搭載も含む）を示している。両者とも大きくデフォーカスした領域でのフォーカスオフセットの発生量が極力抑えられている。
【００３９】
尚、以上の例では、補助受光領域の幅を主受光領域の幅に比して小さくすることで、過補正の問題を解決しているが、本発明の光ピックアップ装置はこれに限るものではなく、例えば、
（１）補助受光領域からの出力信号のゲインを可変抵抗器等により調整する。
（２）ＦＥＳの演算を例えば次式により行う。
ＦＥＳ＝（Ｓａ−Ｋ×Ｓｅ）−（Ｓｂ−Ｋ×Ｓｆ），Ｋ：補償係数
（３）補助受光領域の感度自身を低下させる（ＰＤ形成時の拡散濃度や深さを変える）。
（４）補助受光領域にスリット等の遮蔽帯を施して有効受光面積を小さくする。
（５）補助受光領域の長さを短くする（補助受光領域に入射する光ビームはかなり大きいため、光ビームの受光位置が長さ方向にずれても、確実に受光できる）。
ことで、組立誤差等による戻り光形状の変化に対応するものでも良い。
【００４０】
（参考例）参考例の光ピックアップ装置では、上記基本構成における（２）誤差が発生した場合に主受光領域の中心から戻り光がはみ出す量を少なくする、を実現するものである。図１１はその光ピックアップ装置の概略を示す断面図である。ここでは、半導体レーザ１、受光素子７とホログラム素子２及びコリメータレンズ３のみ記載している。
【００４１】
ホログラム素子２の回折角度は、光ディスクからの反射光のうち１次回折光が受光素子７に入射するように設計されるが、レーザ１からの往路の光ビームの一次回折光も同様に発生し、図の点線の様にコリメータレンズ３に向かう。
【００４２】
このような光学系を有する光ピックアップ装置において、前述した組立誤差等による受光素子７への戻り光の形状変化は、ホログラム素子２による回折角度θ１が大きいほど激しい。したがって、主受光領域の中心から戻り光がはみ出す量を小さくするには、ホログラム素子２による回折角度θ１を小さくすればよい。
【００４３】
しかしながら、あまり小さくしすぎると上記した往路の１次回折光がコリメータレンズ３に入射し、ディスク上に不要な光を発生するため好ましくない。よって、往路の１次回折光がコリーメータレンズ等のホログラム素子２の次段の光学素子に入射しない程度に回折角度を小さくすれば、両者を満足する良好なピックアップを構成することが可能となる。
【００４４】
以下に、具体的に説明する。図１１において、ｒ１はホログラム素子２の半径、ｒ２はコリメータレンズ３の半径を示しており、また、θ１は戻り光のホログラム素子２による回折角度、θ２は受光素子７とホログラム素子２とを結ぶ線分のホログラム素子２の鉛直方向となす角度を示している。さらに、Ｌは受光素子７とコリメータレンズ２との間の距離（コリメータレンズ２に垂直な方向における距離）、ｌは受光素子７とホログラム素子２との間の距離（ホログラム素子に垂直な方向における距離）を示している。また、Ｄは受光素子７と半導体レーザ１との間の距離（ホログラム素子２に平行な方向の距離）を示している。
【００４５】
このとき、ｔａｎθ１＝Ｄ／ｌｔａｎθ２＝（Ｄ−ｒ１）／ｌよって、ｔａｎθ１＝（Ｄ−ｒ１）／ｌ＋ｒ１／ｌ＝ｔａｎθ２＋ｒ１／ｌとなる。
【００４６】
ここで、往路の１次回折光がコリメータレンズ３内に入射しないための条件は、Ｌ×ｔａｎθ２≧Ｄ＋ｒ２よって、ｔａｎθ２≧（Ｄ＋ｒ２）／Ｌしたがって、ｔａｎθ１≧（Ｄ＋ｒ２）／Ｌ＋ｒ１／ｌとなる。したがって、この式を満足するように回折角度θ１を設定すれば、往路の１次光はコリメータレンズ３内に入射しない。
【００４７】
ここで、上記したように回折角度θ１はできるだけ小さい方が良いため、ｔａｎθ１＝（Ｄ＋ｒ２）／Ｌ＋ｒ１／ｌとすることが望ましい。しかしながら実際には組立誤差等が存在するため、回折角度θ１としては、想定される組立誤差を△としたとき、（Ｄ＋ｒ２＋△）／Ｌ＋ｒ１／ｌ≧ｔａｎθ１≧（Ｄ＋ｒ２）／Ｌ＋ｒ１／ｌとすることがより望ましい。
【００４８】
図１２に、ホログラム素子２の回折角度が約倍程度異なる場合の受光素子への戻り光の形状の差異を示す。（ａ）は回折角度が約１５度（ｂ）は回折角度が約３０度程度であり、回折角度が小さい（ａ）場合の方が、主受光領域の中心からのシフト量が少ない、つまり、フォーカスオフセット量を抑圧でき、良好なＦＥＳカーブが得られることがわかる。
【００４９】
（実施形態）図１３は、本発明の一実施形態に係る光ピックアップ装置の構成を示す要部概略図である。本実施の形態の光ピックアップ装置は、図１に示した基本構成の光ピックアップ装置と、ラジアル誤差生成用受光領域７ｃ，７ｄの形状が異なっているものである。そこで、基本構成と同一部分に付いては同一符号を付し説明を省略する。
【００５０】
図１３（ａ），（ｂ）はそれぞれ、光学系の組立等の誤差により、戻り光が受光部上で＋Ｙ，−Ｙ方向に最もズレた場合の戻り光形状を示したものである。また、これらの図は、一定のデフォーカスが存在する場合の戻り光の様子を示している。
【００５１】
この状態で、誤差によらずラジアル誤差信号生成用受光領域７ｃ，７ｄ内に戻り光が収まるようにする場合、受光領域７ｃ，７ｄの形状は、分割線７ｇに平行な辺を有する矩形形状にすると図中に点線で示した形状になる。このような受光領域形状の場合、受光領域７ｃ，７ｄの面積がフォーカス誤差信号生成用の受光領域７ａ，７ｂ，７ｅ，７ｆの面積と比べて、非常に大きくなり、周波数特性が悪くなる。また、左右両側に配置される受光領域間における受光部面積が異なっており、左右の受光素子の周波数特性に差が発生する。さらに、複数の記録再生ディスクを再生する場合は、隣接層からの迷光が入射するが、左右の面積が異なるためにラジアルオフセットが発生する。
【００５２】
上記した問題を解決するためには、図１３中に実線で記載しているように、できるだけ受光部の面積を小さくし、かつ左右両側の受光領域７ｃ，７ｄの面積を略同一としなければならない。つまり、ビームの移動方向に合わして、分割線７ｇに対して傾斜した形状にする必要がある。このように設定すれば、受光領域面積は点線の場合に比べて約半分以下となり、フォーカス誤差信号生成用の受光部の面積との差異を抑えることが可能であり、受光素子の高帯域化の障害にならない。また、左右の受光部面積も同じにできるため、受光素子の周波数特性に差が発生せず、複数の記録再生ディスクを再生する場合は、隣接層からの迷光が入射しても、左右の面積が同じであるためにラジアルオフセットは発生しない。
【００５３】
以上説明したように、本発明の光ピックアップ装置では、フォーカス誤差信号補正用の補助受光領域からの補助信号が調整されるため、組立誤差等により戻り光の形状が変化した場合にもＦＥＳにおけるオフセットの発生を抑制できる。
【００５４】
また、補助受光領域の面積を主受光領域の面積よりも小さく設定することにより、組立等による誤差が発生し、フォーカス動作させた場合の受光素子への戻り光の形状変化が異なっても、大きくデフォーカスした状態のフォーカス誤差信号の補正を過補正あるいは補正不足とすることを抑圧できる。
【００５５】
光検出器において、補助受光領域の面積を主受光領域の面積に対して、８０％以下、２５％以上とすることで、組立等による誤差が発生した場合でも、また、ほとんど誤差が発生しない場合においても、フォーカス動作させた場合の受光素子への戻り光の形状変化が異なって、大きくデフォーカスした状態のフォーカス誤差信号の補正が過補正になったり、逆に補正不足になったりすることをより抑圧できる。
【００５６】
ホログラム素子の回折角度を、往路の１次回折光が次のレンズ系（例えば、コリメータレンズとか対物レンズ）に入射しない程度に、回折角度を小さくしているため、組立等による誤差が発生した際に、フォーカス動作させた場合の受光素子への戻り光の形状変化が異なるが、その差異を小さくすることが可能となる。これにより、フォーカス誤差信号の補正が過補正になったり、逆に補正不足になったりすることを抑圧できるため、複数の記録再生層を有する光ディスクを記録再生する際に、良好なＦＥＳカーブを得ることが可能となる。
【００５７】
さらに、ラジアル誤差信号生成用受光領域を、組立等の誤差による戻り光の移動方向に沿って形成し、左右両側の受光部領域の面積を略同一とすることにより、上記誤差によらず戻り光が受光領域内に収まるように受光領域の形状を設定したとしても、受光領域面積を必要最小限にでき、受光素子の高帯域化を実現できる。また、左右の受光部の面積に差が発生しないので、隣接層からの迷光の入射に起因するオフセットの発生を抑制できる。
【００５８】
なお、本発明の光ピックアップ装置は、光源から光ビームを出射し、その光ビームを光記録媒体上に集光するとともに、光記録媒体からの戻り光を検出する光ピックアップ装置において、光ビームのフォーカスのずれに応じた戻り光が入射する少なくとも２つの主受光領域を有し、各主受光領域への入射光量に応じた主信号を生成する主受光手段と、少なくとも２つの主受光領域からはみ出した戻り光を受光する補助受光領域を有し、補助受光領域への入射光量に応じた補助信号を生成する補助受光手段と、補助信号を用いて、主信号を補正してフォーカス誤差信号を生成する誤差信号生成手段と、を有してなり、補助信号は、光学系の配置誤差に基づく、戻り光形状の変化に対応できるよう、調整されてなる構成であってもよい。
【００５９】
上記構成によれば、フォーカス誤差信号の主部分を生成する少なくとも２つの主受光領域と、デフォーカス状態になった場合にその主受光領域からはみ出した光を検出する補助受光領域とを有しており、補助受光領域からの補助信号によりフォーカス誤差信号の補正を行う。また、光学系に生じる組立誤差等の配置誤差により戻り光形状が変化した場合にも対応できるように補助信号が調整される。したがって、フォーカス誤差信号のオフセットを抑制できる。
【００６０】
また、本発明の光ピックアップ装置は、上記構成の光ピックアップ装置において、補助受光領域は、その面積が主受光領域の面積よりも小さく設定されてなる構成であってもよい。
【００６１】
上記構成によれば、補助受光領域の面積が主受光領域よりも小さく設定されているため、簡単な構成により上記補助信号を調整できる。また、受光素子の高帯域化の障害にならない。
【００６２】
また、本発明の光ピックアップ装置は、上記構成の光ピックアップ装置において、補助受光領域の面積は、主受光領域の面積の２５％以上８０％以下である構成であってもよい。
【００６３】
上記構成によれば、補助受光領域の面積を最適化したことにより、組立等による配置誤差が発生した場合、及び、ほとんど誤差が発生しない場合の両方において、大きくディフォーカスした状態のフォーカス誤差信号の補正が過補正になったり、逆に補正不足になったりすることをより抑圧できる。
【００６４】
また、本発明の光ピックアップ装置は、光源から光ビームを出射し、その光ビームをホログラム素子を透過させた後他の光学系を介して光記録媒体上に集光するとともに、光記録媒体からの戻り光をホログラム素子により回折して検出する光ピックアップ装置において、光ビームのフォーカスのずれに応じた戻り光が入射する少なくとも２つの主受光領域を有し、各主受光領域への入射光量に応じた主信号を生成する主受光手段と、少なくとも２つの主受光領域からはみ出した戻り光を受光する補助受光領域を有し、補助受光領域への入射光量に応じた補助信号を生成する補助受光手段と、補助信号を用いて、主信号を補正してフォーカス誤差信号を生成する誤差信号生成手段と、を有してなり、ホログラム素子による１次回折角が、光源からの光ビームのホログラム素子による１次回折光を他の光学系に入射させない限界角度と略同一角度である構成であってもよい。
【００６５】
上記構成の光ピックアップ装置は、ホログラム素子の回折角度を、往路の１次回折光が次のレンズ系（例えば、コリメータレンズとか対物レンズ）に入射しない程度に、回折角度を小さくしているため、組立て等による誤差が発生した際に、フォーカス動作させた場合の受光素子への戻り光の形状変化が異なるが、その差異を小さくすることが可能となる。フォーカス誤差信号の補正が過補正になったり、逆に補正不足になったりすることを抑圧できるため、複数の記録再生層を有する光ディスクを記録再生する際に、良好なＦＥＳカーブを得ることが可能となる。
【００６６】
尚、ホログラム素子による１次回折角が限界角度と略同一角度であるとは、組立誤差等を考慮して前記限界角度に組立誤差分の角度を加えたものも含むものである。
【産業上の利用可能性】
【００６７】
本発明によれば、受光素子の高帯域化を実現できる。また、左右の受光部の面積に差が発生しないので、隣接層からの迷光の入射に起因するオフセットの発生を抑制できる。
【図面の簡単な説明】
【００６８】
【図１】本発明の光ピックアップの概略構成図である。
【図２】図１におけるホログラム素子の構成を示す模式図である。
【図３】図１における受光素子の構成を示す概略図である。
【図４】光ディスクが近づいた状態及び遠ざかった状態における戻り光の様子を示す説明図である。
【図５】比較例の補助受光領域形状におけるＦＥＳカーブの説明図である。
【図６】比較例の補助受光領域形状の光ピックアップ装置により２層ディスクを記録再生する場合のＦＥＳカーブの説明図である。
【図７】比較例の補助受光領域形状におけるデフォーカス時の戻り光の形状を示す説明図である。
【図８】比較例における各受光領域の出力信号を示す説明図である。
【図９】補助受光領域の幅を変えた場合のＦＥＳカーブを説明する図である。
【図１０】主受光領域の面積＝２×補助受光領域の面積の場合のＦＥＳカーブの概略図である。
【図１１】参考例の光ピックアップ装置の主要部の構成図である。
【図１２】回折角度θが異なる場合のディスクからの戻り光の形状を示す概略図である。
【図１３】本発明の実施形態における各受光領域の形状、及び、ディスクからの戻り光の形状を表す概略図である。
【図１４】本出願人が先に提案したピックアップ装置の構成を示す概略図である。
【図１５】図１４における受光素子の構成を示す説明図である。
【符号の説明】
【００６９】
２ ホログラム素子
７ 受光素子
７ａ，７ｂ 主受光領域
７ｅ，７ｆ 補助受光領域
７ｃ，７ｄ ラジアル誤差信号生成用受光領域
７ｇ 分割線
【図１】
2007004982.tif 000003
【図２】
2007004982.tif 000004
【図３】
2007004982.tif 000005
【図４】
2007004982.tif 000006
【図５】
2007004982.tif 000007
【図６】
2007004982.tif 000008
【図７】
2007004982.tif 000009
【図８】
2007004982.tif 000010
【図９】
2007004982.tif 000011
【図１０】
2007004982.tif 000012
【図１１】
2007004982.tif 000013
【図１２】
2007004982.tif 000014
【図１３】
2007004982.tif 000015
【図１４】
2007004982.tif 000016
【図１５】
2007004982.tif 000017